(57)【要約】  本発明は、測定場所に対して相対的な物体の距離と半径方向速度を決定する方法に関し、この方法は次の各ステップを有する：ａ）第１の周波数ランプ波の形態のレーダ放射である第１の送信信号が発信され、ｂ）第２の周波数ランプ波の形態のレーダ放射である第２の送信信号が発信され、第２の周波数ランプ波は第１の周波数ランプ波と相違し、ｃ）物体で反射された第１および第２の送信信号である受信信号が受信され、ｄ）第１または第２の送信信号と受信信号が混合信号をなすように混合され、ｅ）混合信号からレンジドップラーマトリクスが作成され、ｆ）物体の半径方向速度に由来する２つのドップラー周波数が検知され、ｇ）ドップラー周波数および／または混合信号の位相情報が評価され、それにより半径方向速度を決定するときの多義性が解消され、第１の送信信号と第２の送信信号が同時に発信される。
2020512535.tif 000002
【特許請求の範囲】
【請求項１】
測定場所に対して相対的な物体の距離と半径方向速度を決定する方法であって、前記方法は次の各ステップを有し、
ａ）第１の周波数ランプ波の形態のレーダ放射である第１の送信信号が発信され、
ｂ）第２の周波数ランプ波の形態のレーダ放射である第２の送信信号が発信され、前記第２の周波数ランプ波周波数は前記第１の周波数ランプ波と相違し、
ｃ）物体で反射された前記第１の送信信号および前記第２の送信信号からの受信信号が受信され、
ｄ）前記第１の送信信号または前記第２の送信信号と前記受信信号が混合信号をなすように混合され、
ｅ）前記混合信号からレンジドップラーマトリクスが作成され、
ｆ）物体の半径方向速度に由来する２つのドップラー周波数が検知され、
ｇ）前記ドップラー周波数および／または混合信号の位相情報が評価され、それにより半径方向速度を決定するときの多義性が解消される、方法において、
前記第１の送信信号と前記第２の送信信号が同時に発信されることを特徴とする方法。
【請求項２】
前記周波数ランプ波は立下り周波数ランプ波であることを特徴とする、請求項１に記載の方法。
【請求項３】
前記第１および前記第２の周波数ランプ波は周波数オフセットｄｆを有する平行な周波数ランプ波であることを特徴とする、請求項１または２に記載の方法。
【請求項４】
前記周波数オフセットｄｆはｆ／ｋの整数倍であり、ここでｋはレンジＦＦＴの長さであり、ｆはこれらの測定値が記録される走査周波数であることを特徴とする、請求項３に記載の方法。
【請求項５】
前記整数倍は少なくとも５、好ましくは少なくとも７かつ多くとも２０、好ましくは多くとも１５であることを特徴とする、請求項４に記載の方法。
【請求項６】
前記第１の送信信号は第１の送信アンテナにより発信され、前記第２の送信信号は第２の送信アンテナにより発信されることを特徴とする、請求項１から５のいずれか１項に記載の方法。
【請求項７】
第１の送信アンテナと第２の送信アンテナはそれぞれ交互に前記第１の送信信号と前記第２の送信信号を発信することを特徴とする、請求項１から５のいずれか１項に記載の方法。
【請求項８】
同じ送信アンテナの前記第１の送信信号と前記第２の送信信号が発信されることを特徴とする、請求項１から５のいずれか１項に記載の方法。
【請求項９】
前記受信信号は複数の、好ましくは少なくとも４つの、特に好ましくは少なくとも８つの受信アンテナにより受信されることを特徴とする、請求項１から８のいずれか１項に記載の方法。
【請求項１０】
第３および第４の送信信号が第３および第４の周波数ランプ波の形態で同時に発信され、前記第１および前記第２の送信信号と前記第３および前記第４の送信信号が交互に送信されることを特徴とする、請求項１から９のいずれか１項に記載の方法。
【請求項１１】
前記第３および前記第４の送信信号は平行な、好ましくは立下り周波数ランプ波であることを特徴とする、請求項１０に記載の方法。
【請求項１２】
請求項１から１１のいずれか１項に記載の方法を実施する装置。
【発明の詳細な説明】
【技術分野】
【０００１】
本発明は、測定場所に対して相対的な物体の距離と半径方向速度を決定する方法に関し、本方法は次の各ステップを有する：
ａ）第１の周波数ランプ波の形態のレーダ放射である第１の送信信号が発信され、
ｂ）第２の周波数ランプ波の形態のレーダ放射である第２の送信信号が発信され、第２の周波数ランプ波周波数は第１の周波数ランプ波と相違し、
ｃ）物体で反射された第１および第２の送信信号である受信信号が受信され、
ｄ）第１または第２の送信信号と受信信号が混合信号をなすように混合され、
ｅ）混合信号からレンジドップラーマトリクスが作成され、
ｆ）物体の半径方向速度に由来する２つのドップラー周波数が検知され、
ｇ）ドップラー周波数および／または混合信号の位相情報が評価され、それにより半径方向速度を決定するときの多義性が解消される。
【０００２】
さらに本発明は、このような種類の方法を実施する装置に関する。
【背景技術】
【０００３】
第１の送信信号を信号Ａとも呼び、第２の送信信号を信号Ｂとも呼ぶ。
【０００４】
このような種類の方法は、たとえばドイツ特許出願公開第１０２０１２００８３５０Ａ１号明細書から公知である。
【０００５】
測定場所にはレーダセンサと相応の受信器がある。適切に変調されたレーダ信号によって、この測定場所に対して相対的な物体の距離と半径方向速度を、１回の測定で両方とも決定することが知られている。その際に、異なる周波数ランプ波が第１および第２の送信信号の形態で互いに入れ子式に発信される。
【０００６】
短い高速の同一のランプで送信信号を変調することは知られていた。たとえば長さ６５ｍｓの周期時間中に、たとえば２５６個のこのような種類のランプを変調することができ、これらが従来式には上昇していく周波数をもって通過される。したがって、発信される信号はランプの開始時に、各々ランプの最後に最終周波数に到達するまで規定された勾配で上昇していくスタート周波数を有している。このようなたとえば２５６個のランプの各々が、たとえば２５４μｓの長さを有する。そして各々のランプが５１２個の走査値で走査されるとき、このことは２．０１ＭＨｚの走査周波数に相当する。
【０００７】
そしてランプごとの第１の評価が第１の高速フーリエ変換（ＦＦＴ）の形態で実行される。第２のＦＦＴは１つランプから１つのランプにかけて、すなわち２５４μｓの有効走査周期で行われ、これは３．９４ｋＨｚの有効走査周波数に相当する。２．０１ＭＨｚの走査周波数での第１のＦＦＴを「レンジＦＦＴ」と呼ぶ。３．９４ｋＨｚの走査周波数での第２のＦＦＴを「ドップラーＦＦＴ」と呼ぶ。この例は、本来のランプの間のランプ戻り時間が無視されているという意味で理想化されたものである。
【０００８】
３．９４ｋＨｚのドップラー周波数範囲は、２４．１２５ＧＨｚの搬送周波数で２４．５ｍ／ｓの一義的な速度測定範囲に相当する。ランプについての周波数偏移ｆｓｗとして、すなわち最終周波数とスタート周波数の間の差異として、たとえば１５０ＭＨｚを想定することができる。
【０００９】
物体の測定されるべき半径方向速度が、２４．５ｍ／ｓの一義的な測定範囲よりも低い限りにおいて、この速度を一義的に決定することができる。これより大きいたとえば４０ｍ／ｓの半径方向速度では、１５．５ｍ／ｓの速度が決定される。
【００１０】
第１のＦＦＴ（レンジＦＦＴ）は各々のランプについて実行され、それにより、２５６個のランプの場合には第１のＦＦＴの同じく２５６個の周波数スペクトルが存在するのに対して、第２のＦＦＴ（ドップラーＦＦＴ）は各々の距離値（「距離ゲート」）について実行されるのが好ましい。ただし、第２のＦＦＴを選択された距離値についてのみ実行することも可能である。両方のＦＦＴの結果を、レンジドップラーマトリクスに表すことができる。ドップラーＦＦＴの比較的小さい一義性範囲を拡大するために、ドイツ特許出願公開第１０２０１２００８３５０Ａ１号明細書では、２つの相違する周波数ランプ波を交互に発信することが提案されている。これらの相違して構成される周波数ランプ波を別々に変更可能である。相違する周波数ランプ波が交互に発信されるので、測定周期中にそれぞれ同じ周波数ランプ波の数が、同一のランプの発信に比べてそれぞれ半分だけ低減され、それによってドップラーＦＦＴについての有効走査周波数も低減され、それに伴って一義性範囲も縮小する。しかし、決定されるべきドップラー周波数は搬送周波数に依存し、およびこれに伴って発信される周波数ランプ波の種類に依存するので、このようにして２つの位相情報を含む２つのドップラー周波数を得ることができ、これらを組み合わせて、ドップラーＦＦＴの一義性範囲を大幅に拡大するために利用することができる。
【００１１】
欠点となるのは、発信されるそれぞれ個々のランプ種類についてドップラーＦＦＴの一義性範囲が縮小し、さらには、１つのランプ種類の個々のランプの少ない個数に基づいて信号対雑音比も低下し、それに伴って測定値の品質が劣化することにある。
【先行技術文献】
【特許文献】
【００１２】
【特許文献１】ドイツ特許出願公開第１０２０１２００８３５０Ａ１号明細書
【発明の概要】
【００１３】
したがって本発明の課題は、ドップラーＦＦＴの一義性範囲が拡大されると同時に、信号対雑音比が改善されるように、当分野に属する方法を改良することにある。
【００１４】
本発明は、第１の送信信号と第２の送信信号が同時に発信されることを特徴とする、請求項１のプレアンブルに記載の方法によって、課せられた課題を解決する。
【００１５】
従来技術に基づく方法では、両方の周波数ランプ波が常に交互に送信されるのに対して、本発明では両方の周波数ランプ波が同時に送信され、それにより、１回の測定周期中に発信されるランプの数が２倍になる。両方の送信信号が同時に発信されるので、これら両方が検知されるべき物体に反射され、それにより、受信信号も２つの個別信号で構成される。それにもかかわらず受信信号は、混合信号を得るために、発信される送信信号のうちの一方とのみ混合される。そしてこの混合信号が、従来技術と同じく二次元ＦＦＴにかけられ、それによりレンジドップラーマトリクス（Range-Doppler matrix）が作成される。しかし本発明の方法では混合信号が、発信される２つの送信信号に対応して２つの成分を有する受信信号から生成されるので、二次元ＦＦＴでは、検知されるべき各々の物体について、発信される両方の送信信号およびこれに伴って両方の受信される受信信号のそれぞれ相違する周波数から生じる２つの周波数ピークが生じる。発信される両方の送信信号の周波数オフセットが既知であればこれらを容易に利用して、測定場所からの物体の距離と一義的なドップラー周波数に関する情報を得ることができる。
【００１６】
さらに従来技術と同じく、両方の送信信号のそれぞれ相違する搬送周波数に基づいて同じく若干相違する２つのドップラー周波数が決定される。これらのドップラー周波数および／または混合信号からの位相情報が、ドップラーＦＦＴの多義性を取り除くために通常の仕方で利用される。本発明による方法の利点は、従来技術と比較したとき、ドップラーＦＦＴの有効走査レートを２倍にすることができ、そのようにして、一方ではそれぞれ個々の決定されたドップラー周波数について一義性範囲を拡大することができ、他方では、各々のドップラー周波数について多数の測定値を利用できるので、信号対雑音比も改善することができるという点にある。
【００１７】
依然としてただ１つのレンジドップラーマトリクスだけを作成すればよいので、計算コストは従来技術に基づく方法と比較してほとんど増大しない。
【００１８】
周波数ランプ波は立下り周波数ランプ波であるのが好ましい。このことは、各々の周波数ランプ波が、周波数ランプ波の最大の周波数である最終周波数で始まり、周波数ランプ波の最小の周波数であるスタート周波数で終わることを意味する。当然ながら、個々の周波数ランプ波を立上り周波数ランプ波として利用し、最小の周波数で始まって最大の周波数まで送信信号を調整することも可能である。
【００１９】
好ましい実施形態では、第１の周波数ランプ波と第２の周波数ランプ波は周波数オフセットｄｆを有する平行な周波数ランプ波である。このことは、各々の時点で発信される両方の送信信号の周波数が差異ｄｆを有することを意味する。一定の周波数オフセットは、実行されるべき計算を簡易化する。第１のレンジＦＦＴの後の両方のピークの周波数オフセットは、一定かつ既知である限りにおいて容易に算出することができる周波数オフセットｄｆに関する情報を含んでいる。
【００２０】
好ましい実施形態では、周波数オフセットｄｆはｆ／ｋの整数倍であり、ここでｋはレンジＦＦＴの長さであり、ｆはこれらの測定値が記録される走査周波数である。好ましくは整数倍は少なくとも５、好ましくは少なくとも７かつ多くとも２０、好ましくは多くとも１５である。
【００２１】
レンジドップラーマトリクスの計算にあたっては、まずレンジＦＦＴが計算される。たとえば５１２個の測定値（サンプル）がランプごとに走査される場合、ランプごとに長さ５１２のレンジＦＦＴが計算されることになる。次いで、ドップラーＦＦＴの計算がレンジゲートごとに行われる。特にシングルチャネルの走査の場合、レンジＦＦＴの比較的狭い一義性範囲に基づき、通常、ドップラーＦＦＴはすべてのレンジゲートについて計算されるのではない。しばしば半分よりも若干少ない、たとえば可能な数の０．４倍が計算される。したがってこのケースでは、ドップラーＦＦＴは可能な５１２個のレンジゲート（距離ゲート）のうち２０４個についてのみ計算される。
【００２２】
そして、これらの距離ゲートの各々がｆ／ｋの周波数に相当し、ここでｋはすでに述べたようにレンジＦＦＴの長さであり、ｆはこれらの測定値が記録または走査される走査周波数である。
【００２３】
１０ＭＨｚの走査周波数ｆと５１２の数ｋの場合、このような種類のレンジゲートは１９．５３ｋＨｚの周波数または距離ゲート周波数に相当する。したがって、この周波数の整数倍５は９７．６５ｋＨｚの周波数オフセットｄｆに相当し、整数倍１５はｄｆ＝２９２．９５ｋＨｚの周波数オフセットに相当する。別の走査周波数またはランプごとの測定値の別の数は、当然ながら別の周波数をもたらす。
【００２４】
このように小さい周波数オフセットを適用することは、受信された受信信号と両方の送信信号のうちの１つとの混合による混合信号が、比較的小さい周波数範囲内に配置されるように作用する。ミキサの後でバンドパスフィルタが使用されてから、信号がさらに処理されるとき、このバンドパスフィルタは、全部の混合信号がバンドパスフィルタを通過することができ、そのようにして、両方の周波数ピークを検知できるようにするために、単一のレンジドップラーマトリクスを作成するだけでよいように選択できるのが好ましい。周波数オフセットｄｆが大きすぎると、このことは、混合信号も相応に大きく乖離した周波数成分を有し、これらが単一のバンドパスフィルタを場合により完全に通過できないという帰結を有する。
【００２５】
好ましい実施形態では、第１の送信信号は第１の送信アンテナによって発信され、第２の送信信号は第２の送信アンテナによって発信される。
【００２６】
その別案として、２つの送信アンテナが設けられるが、第１の送信信号または第２の送信信号のいずれもこれらに固定的に割り当てられるのではない。むしろこのケースでは、第１の送信アンテナと第２の送信アンテナがそれぞれ交互に第１の送信信号と第２の送信信号を送信するのが好ましい。
【００２７】
この実施形態が特に好ましいのは、距離と半径方向速度に加えて、物体が存在している方向も判定しようとする場合である。そのために、それぞれ相違する送信信号を発信する複数の送信アンテナの使用によって改善することができる角解像度が有利である。
【００２８】
その別案として、当然ながら、第１の送信信号と第２の送信信号が単一の送信アンテナから発信されることも可能である。このことが特に好ましいのは、角解像度の改善が必要ない場合である。このケースでは、装置コストを明らかに削減することができるからである。
【００２９】
好ましい実施形態では、受信信号は複数の、好ましくは少なくとも４つの、特別に好ましくは少なくとも８つの受信アンテナによって受信される。異なる受信アンテナが空間的に互いに分離して配置され、好ましくは等間隔に配置されるので、送信アンテナから発信される送信信号が、物体により反射された後、異なる受信アンテナに到達するまでにそれぞれ若干異なる進行時間を有する。このような進行時間差から、および／またはそこから生じる位相差から、角度情報およびこれに伴って物体が存在している方向に関する情報を導き出すことができる。さらに、さまざまな物体を角度に関しても分離し、そのようにして判別することができる。受信チャネルが多く使われるほど、このような分離能力が改善される。それと同時に、それぞれ第１および第２の送信信号を発信するか、またはそれぞれ交互に第１および第２の送信信号を発する少なくとも２つの送信アンテナが使用されると、個々のアンテナの相互の巧みな選択と配置によって、物理的に存在する受信アンテナの実際の数よりも多いバーチャルなアンテナアレイを製作することができる。ＭＩＭＯ原理と呼ばれるこの方法は従来技術から知られており、これはＭｕｌｔｉｐｌｅ  Ｉｎｐｕｔ  Ｍｕｌｔｉｐｌｅ  Ｏｕｔｐｕｔの略である。
【００３０】
第１および第２の送信信号がそれぞれ相違する送信アンテナから発信され、引き続いて反射された受信信号がそれぞれ異なる複数の受信アンテナにより受信される、本発明に基づく方法の実施例は、本発明に基づいてもともと存在する改善された信号対雑音比とドップラーＦＦＴのいっそう広い一義性範囲を可能にするだけでなく、さらに、非常に正確な角解像度、およびこれに伴って物体が存在している方向の非常に正確な決定も可能にする。
【００３１】
本方法の好ましい実施形態では、第３のおよび第４の送信信号が第３および第４の周波数ランプ波の形態で同時に発信され、第１および第２の送信信号と第３および第４の送信信号が交互に送信される。全部で４つの相違する送信信号により、４つの相違するドップラー周波数をドップラーＦＦＴによって判定することができ、これらのドップラー周波数および／または混合信号の位相情報から一義性範囲をさらに拡大することができる。第３および第４の送信信号が発信されるとき、これらの結果として生じる反射された受信信号が受信されて、第３の送信信号または第４の送信信号とのみ混合される。当然ながら、これらを第１または第２の送信信号と混合することもできる。それぞれ相違する４つの送信信号は、それぞれ相違する周波数オフセット値を有する平行な周波数ランプ波であるのが好ましい。当然ながら、４つの送信信号を同時に発信することもできる。周波数オフセット値が十分に小さく選択されれば、このような種類の送信信号から惹起される混合信号を、相応の受信信号が受信されて少なくとも１つの送信信号と混合されたときに、引き続き単一のバンドパスフィルタに通すことができ、それにより、このケースでは単一のレンジドップラーマトリクスしか作成、計算しなくてすむ。さらに第３および第４の送信信号は、さまざまな物体を分離し、そのようにして判別することができる、角度に関する分離能力を改善するために利用することもできる。
【００３２】
好ましい実施形態では、第３および第４の送信信号は、好ましくは立下り周波数ランプ波である平行な周波数ランプ波である。当然ながら、これらが立上り周波数ランプ波として構成されていてもよい。
【００３３】
さらに本方法の好ましい実施形態では、第１または第２の送信信号の一部が、送信アンテナから発信されることなく、それぞれ他の送信信号と混合される。こうして生じた混合信号からレンジドップラーマトリクスが算出されるとき、両方の送信信号の混合がもたらすピークは、その間隔がレンジＦＦＴの方向で周波数オフセットに正確に相当する。ドップラー周波数が包含されていないからである。相応の混合信号の周波数および／または位相情報を、送信信号発生器の品質に関する情報と対照測定を得るために利用することができる。
【００３４】
以下の図面を用いて、本発明の実施例について詳しく説明する。図面は次のものを示す。
【図面の簡単な説明】
【００３５】
【図１】従来技術に基づいて二次元ＦＦＴによりレンジドップラーマトリクスを形成するための曲線推移と模式的な評価信号である。
【図２】本発明の実施例に基づく信号推移である。
【図３】レンジドップラーマトリクスでの結果の模式図である。
【図４】本発明の実施例に基づく装置の回路を示す模式図である。
【発明を実施するための形態】
【００３６】
図１は、レンジドップラーマトリクスをどのようにして計算できるかを模式的に示している。実線を含んでいる図１の上側領域には、送信信号の周波数が時間の関数としてプロットされている。ランプ波の最小の周波数であるスタート周波数からランプ波の最大の周波数である最終周波数まで通過する、上昇していくランプを見ることができる。これに対して若干オフセットされた破線には、距離と速度が決定されるべき物体で反射された後に、本装置の受信装置により受信される相応の受信信号が示されている。
【００３７】
この受信信号が送信信号と混合され、次いで２Ｄ−ＦＦＴにかけられて、レンジドップラーマトリクスを作成する。その際には、図１に示すように、まず第１のＦＦＴ（レンジＦＦＴ）が実行される。これは各々のランプ波について実行され、それにより、たとえば図１の上側領域に示す２Ｌ＝２５６個の発信されるランプの場合、２Ｌ＝２５６回のレンジＦＦＴが実行されなければならない。
【００３８】
ランプ波は連続して計測されるのではなく、たとえばｋ＝５１２個の走査値で走査される。ランプ内部の特定の周波数値に相当するこれらの走査値の各々について、第２のＦＦＴ（ドップラーＦＦＴ）が実行される。その際には、着目する距離範囲に相当する距離値についてのみ第２のＦＦＴを実行するのが有意義であり得る。
【００３９】
その結果が、図１の右下に示すレンジドップラーマトリクスであり、そこには、物体の距離に実質的に相当するうなり周波数と、物体の速度に由来するドップラー周波数とで、周波数ピークがプロットされている。このような方法は従来技術から公知である。
【００４０】
図２は、本発明の実施例に基づく方法における周波数推移を示している。送信信号Ａ（ＴｒａｎｓｍｉｔＳｉｇｎａｌ  Ａ）および送信信号Ｂ（ＴｒａｎｓｍｉｔＳｉｇｎａｌ  Ｂ）およびそれに伴って第１の送信信号および第２の送信信号に相当する鎖線と実線を見ることができる。これらは平行に発信される。これは、本実施例では平行に延びる立下り周波数ランプ波である第１の送信信号と第２の送信信号である。第１の送信信号は、本実施例では低いほうの周波数を有する信号である。周波数ランプ波は終了周波数で始まり、スタート周波数まで降下していく。このときスタート周波数と呼ぶのは周波数ランプ波の最小の周波数であり、最終周波数と呼ぶのは周波数ランプ波の最大の周波数であり、ランプの進行が実際に当該周波数でスタートまたは終了しているか否かを問わない。ここでｆｓｗは周波数偏移すなわち最終周波数とスタート周波数の間の差異を表す。
【００４１】
第２の送信信号は、図２では高いほうの周波数である。第２の周波数ランプ波は、周波数オフセットｄｆの分だけオフセットされた、第１の周波数ランプ波に対して平行にオフセットされたランプである。
【００４２】
さまざまなランプ波が、図２の下側領域に示す走査周波数と走査レートで走査される。
【００４３】
破線と点線により、検知されるべき物体でのそれぞれの送信信号の反射に由来するそれぞれの受信信号が示されている。
【００４４】
これらが送信信号のうちの１つと混合され、引き続き、レンジドップラーマトリクスを計算するためのすでに周知である評価にかけられると、図３に示す結果がもたらされる。物体について２つのピークを有するレンジドップラーマトリクスを見ることができる。これら両方のピークは図３のマトリクスの同じ列に位置しているので、これらは等しい、もしくは少なくともほぼ等しいドップラー周波数を有している。実際には、この両方のドップラー周波数は若干相違しているが、それは、異なる信号の搬送周波数が若干相違するからである。しかし、ドップラー周波数は検知されるべき物体の速度に由来しているので、このような相違は非常に小さく、レンジドップラーマトリクスには表示されていない。
【００４５】
ただし、これら両方のピークはマトリクスの相違する行に含まれており、このことは本来、２つの相違する距離を示唆する。しかし両方のピークの間の間隔は、両方の送信信号の周波数オフセットｄｆに正確に相当している。この周波数オフセットは容易に逆計算することができ、それにより、測定点から物体までの実際の距離を決定することができる。
【００４６】
さらに図３のレンジドップラーマトリクスは、参照ピークとして表示されている別のピークを有している。これは、第１の送信信号が第２の送信信号と混合されたときに生じる。物体の距離のゆえに成立する進行時間差に由来する、両方の混合された信号の間の周波数差に相当するこのピークの行は、このケースでは周波数オフセットであるにすぎないので、ここでは簡単な対照可能性が与えられる。
【００４７】
図４は、このような種類の方法を実施する装置の模式的な構造を示している。たとえばクオーツとして構成されていてよい参照源により参照信号が生成されて、これが２つのデジタル信号発生器に供給される。信号発生器は従来技術から知られているコンポーネントであるので、詳細な説明は割愛する。両方の信号発生器は送信信号Ａと送信信号Ｂを生成する。この両者が送信アンテナ（「ＴＸアンテナ」）へ送られて、同じアンテナにより発信される。別案として、これらを当然ながらそれぞれ異なる送信アンテナへ送ることもでき、これらの送信アンテナがそれぞれ相違する信号を発信する。このとき、両方のアンテナによって、それぞれ相違する信号の交互の発信が行われてもよい。
【００４８】
発信された信号は、図４には図示しない検知されるべき物体で反射されて、受信アンテナ（「ＲＸアンテナ」）により捕捉される。「ミキサ」という用語が付されている混合器で、受信された受信信号が第１の送信信号と混合され、引き続きバンドパスフィルタ（ＢＰＦ）に通されて評価部に供給される。別案として、受信信号を当然ながら第２の送信信号と混合することもできる。これに追加してカプラーが存在し、これによって第２の送信信号の一部が受信信号へ供給され、そのようにして同じく第１の送信信号と混合される。それにより、図３のレンジドップラーマトリクスで表される参照ピークが生じる。
【図１】
2020512535.tif 000003
【図２】
2020512535.tif 000004
【図３】
2020512535.tif 000005
【図４】
2020512535.tif 000006
【国際調査報告】
2020512535.tif 000007
2020512535.tif 000008
2020512535.tif 000009
2020512535.tif 000010